(57)【要約】【課題】野菜・花卉類等の植物を散水回数を減らしても容易に栽培できる植栽装置を提供する。【解決手段】容器２と、不織布で形成された不織布バッグ３と、この不織布バッグ３内に充填された培土４とを備え、不織布バッグ３は、その上部３ａと底部３ｃとが透水性を有しており、中央部３ｂが保湿性を有している。したがって、培土に含まれている水分の蒸発を防止できるとともに、不織布バッグの中央部から水分が培土に供給される。よって、散水回数を減らしても培土４の乾燥を防止できるので、野菜・花卉類等の植物を容易に栽培できる。【選択図】図１
2006121916.tif 000002
【特許請求の範囲】
【請求項１】
少なくとも上部が開口した容器と、この容器内に収容され、不織布で形成された不織布バッグと、この不織布バッグ内に充填された培土とを備え、
前記不織布バッグは、その上部と底部とが透水性を有しており、中央部が保湿性を有していることを特徴とする植栽装置。
【請求項２】
請求項１に記載の植栽装置において、
前記容器の上部の開口部には、該容器の底部を受ける受け皿として併用できる蓋が取り付けられていることを特徴とする植栽装置。
【請求項３】
請求項１または２に記載の植栽装置において、
前記容器の底部には開口部が形成されており、この開口部に露出する前記不織布バッグの底部は開閉可能であることを特徴とする植栽装置。
【発明の詳細な説明】
【技術分野】
【０００１】
本発明は、野菜・花卉類を容器で容易に栽培できる植栽装置に関する。
【背景技術】
【０００２】
野菜・花卉類を栽培する培土を封入した状態で輸送又は保管でき、使用時に開口部が形成される植栽容器の一例として、特許文献１に記載のものが知られている。
この特許文献１に記載の植栽容器は、開封手段にて開封することで上面に略平面状の開口部を形成し、予め内部に密封された培土を栽培床として植物を栽培するための植栽容器であって、該植栽容器の周壁に複数個の貫通孔を有することを特徴とするものである。
【０００３】
このような植栽容器では、植物の栽培となる培土が密封状態に収容されており、使用に際し、例えば開封リボン等に代表される公知の開口手段にて開口部を形成させるように構成されているから、培土を充填して密封した状態のまま、保管、搬送、展示できる。また、使用時に簡単に開口部を開口させることができ、そのまま培土が充填されたプランターとなすことができ、直接、植物の種を蒔いたり苗を植え込むことができ、野菜類や根菜類などでも効率よく栽培でき、使い勝手に優れる。
さらに、植栽容器の周壁に複数個の貫通孔を有しているので、植栽時の通気性が確保できる。
【特許文献１】特開２００２−３３５７７０号公報
【発明の開示】
【発明が解決しようとする課題】
【０００４】
しかしながら、前記植栽容器では、その周壁に複数個の貫通孔を有しているので、植栽時の通気性は確保できる反面、培土に含まれている水分が前記貫通孔や上部の開口部を通して蒸発して、培土が乾燥し易くなるので、培土や植物へ散水をこまめに行わないと植物が枯れてしまうという問題がある。特に、旅行等で自宅を留守にする場合、散水を行うことができず植物を枯らしてしまうことがある。
【０００５】
本発明は上記事情に鑑みてなされたもので、野菜・花卉類等の植物を散水回数を減らしても容易に栽培できる植栽装置を提供することを課題としている。
【課題を解決するための手段】
【０００６】
上記課題を解決するために、請求項１に記載の発明は、例えば図１および図２に示すように、少なくとも上部が開口した容器２と、この容器２内に収容され、不織布で形成された不織布バッグ３と、この不織布バッグ３内に充填された培土４とを備え、
前記不織布バッグ３は、その上部３ａと底部３ｃとが透水性を有しており、中央部３ｂが保湿性を有していることを特徴とする。
【０００７】
前記不織布バッグの透水性を有する上部と底部は、透水機能を持ち、かつ植物の根が侵入できないような細かな隙間を有するシートで構成されている。このシートの素材は例えばポリエステル繊維であり、前記隙間は２０μm〜６０μm程度が望ましい。
また、不織布バッグの保湿性を有する中央部は、保湿機能を持つシートで構成されている。このシートとしては、例えば吸水性アクリル繊維を素材としている。吸水性アクリル繊維は、例えば、吸水アクリル約３２重量％、ポリエステル約４５重量％、レーヨン約２３重量％を含んでいる。
【０００８】
請求項１に記載の発明によれば、培土が不織布バッグに充填されているので、容器に直接培土を充填する場合に比して、培土に含まれている水分の蒸発を防止できる。さらに、不織布バッグは中央部が保湿性を有しているので、散水を行うと、培土に水分が補給されるとともに、容器の内面と不織布バッグの表面との間を流れる水分が、不織布バッグの中央部に吸水され、保湿される。したがって、この不織布バッグの中央部から水分が培土に供給される。
よって、散水回数を減らしても培土の乾燥を防止できるので、野菜・花卉類等の植物を容易に栽培できる。
また、不織布バッグの上部が透水性を有しているので、不織布バッグの上部に散水された水はこの上部を通って、十分に培土に補給できる。
さらに、不織布バッグの底部が透水性を有しているので、余分な水分が不織布バッグの底部に滞留することがなく、よって根腐れ等を防止できる。
【０００９】
請求項２に記載の発明は、例えば図３および図４に示すように、請求項１に記載の植栽装置において、
前記容器１２の上部の開口部には、該容器１２の底部を受ける受け皿として併用できる蓋１５が取り付けられていることを特徴とする。
【００１０】
請求項２に記載の発明によれば、容器の上部の開口部に蓋が取り付けられているので、容器内に、例えば、植物の種を収容した袋を入れておき、蓋を取り付けた状態で、搬送、販売等が行える。そして、植物を栽培する場合、蓋を外して、袋から種を取り出して、培土に蒔けばよい。その場合、蓋が容器の底部を受ける受け皿となるので、プランターとして見映えがよくなる。
【００１１】
請求項３に記載の発明は、例えば図５および図６に示すように、請求項１または２に記載の植栽装置において、
前記容器２２の底部には開口部２２ｂが形成されており、この開口部２２ｂに露出する前記不織布バッグ２３の底部２３ｃは開閉可能であることを特徴とする。
【００１２】
ここで、不織布バッグの底部を開閉可能とするには、例えば、不織布バッグの底部に予め穴を開けておき、この穴を例えば紐等で結んで閉じておけばよい。底部を開く場合、紐を解いて、穴を開ければよい。
【００１３】
請求項３に記載の発明によれば、容器の底部に形成された開口部に露出する不織布バッグの底部が開閉可能であるので、例えば、培土で根菜類を栽培した場合、収穫時に不織布バッグの底部を開けて、容器底部の開口部から培土を掘って、根菜を収穫することができる。また、容器の上部の開口部から伸びている茎や花等は、収穫後もある程度観賞することができる。
【発明の効果】
【００１４】
本発明によれば、少なくとも上部が開口した容器と、この容器内に収容され、不織布で形成された不織布バッグと、この不織布バッグ内に充填された培土とを備え、不織布バッグは、その上部と底部とが透水性を有しており、中央部が保湿性を有しているので、培土に含まれている水分の蒸発が防止されるとともに、散水により容器の内面と不織布バッグの表面との間を流れる水分が、不織布バッグの中央部に吸水され、保湿される。したがって、この不織布バッグの中央部から水分が培土に供給される。よって、散水回数を減らしても培土の乾燥を防止できるので、野菜・花卉類等の植物を容易に栽培できる。
【発明を実施するための最良の形態】
【００１５】
以下、図面を参照して本発明の実施の形態について説明する。
（第１の実施の形態）
図１および図２は、本発明に係る植栽装置の第１の実施の形態を示すもので、図１は植栽装置の断面図、図２は同斜視図である。
これらの図に示す植栽装置１は、容器２と不織布バッグ３と培土４とを備えている。
容器１は、容器本体５と、受け皿６とを備えている。
容器本体５は、パルプモールドによって形成されたものであり、底部から上部に向かって幅狭となるように立ち上がるように形成されている。また、容器本体５の底部側面と上部側面との間は凹曲面で形成されている。容器本体５の上部と底部とはそれぞれ開口しており、上部開口は平面視において細長い長方形状になっている。また、底部開口は、底面視において、長辺が前記上部開口の長辺と等しい長さの長方形状になっており、上部開口より開口面積が大きくなっている。
受け皿６は、容器本体５と同様にパルプモールドによって形成されており、平面視において長方形皿状に形成されている。受け皿６の長辺方向の長さは、容器本体５の底部の長辺方向の長さとほぼ等しいか若干長くなっており、受け皿６の短辺方向の長さは、容器本体５の底部の短辺方向の長さより長くなっている。したがって、受け皿６に、容器本体５を載置した場合、容器本体５はその長さ方向において、受け皿６にほぼ隙間無く嵌っており、幅方向においては、若干左右に隙間を持って載置されている。
【００１６】
前記不織布バッグ３は、不織布で形成された袋状のものであり、上部３ａ、中央部３ｂ、底部３ｃとによって構成されており、上部３ａと中央部３ｂ、中央部３ｂと底部３ｃはそれぞれ性質は異なるが連続的な布状に形成されている。
上部３ａと底部３ｃは透水性を有している。すなわち、上部３ａと底部３ｃはそれぞれ透水機能を持ち、かつ植物の根が侵入できないような細かな隙間を有するシートで構成されている。このシートの素材は例えばポリエステル繊維であり、前記隙間は２０μm〜６０μm程度となっている。
不織布バッグ３の上部には、植物の苗を植える場合には、その茎を通すための穴が形成されており、また、種を植える場合には、芽が出るための穴が形成されている。
【００１７】
また、不織布バッグ３の中央部３ｂは保湿性を有している。すなわち中央部３ｂは、保湿機能を持つシートで構成されている。このシートとしては、例えば吸水性アクリル繊維を素材としている。吸水性アクリル繊維は、例えば、吸水アクリル約３２重量％、ポリエステル約４５重量％、レーヨン約２３重量％を含んでいる。
上記のような構成の不織布バッグ３は全体として柔軟性を有しており、その内部に植物を栽培するための培土４が充填されている。
【００１８】
上記のように構成された植栽装置１によれば、培土４が不織布バッグ３に充填されているので、容器２に直接培土を充填する場合に比して、培土４に含まれている水分の蒸発を防止できる。
さらに、不織布バッグ３は中央部３ｂが保湿性を有しているので、散水を行うと、培土４に水分が補給されるとともに、容器４の内面と不織布バッグ３の表面との間を流れる水分が、不織布バッグ３の中央部３ｂに吸水され、保湿される。したがって、この不織布バッグ３の中央部３ｂから水分が培土に供給される。よって、散水回数を減らしても培土４の乾燥を防止できるので、野菜・花卉類等の植物を容易に栽培できる。
また、不織布バッグ３の上部３ａが透水性を有しているので、不織布バッグ３の上部３ａに散水された水はこの上部を通って、十分に培土４に補給できる。
さらに、不織布バッグ３の底部３ｃが透水性を有しているので、余分な水分が不織布バッグ３の底部３ｃに滞留することがなく、よって根腐れ等を防止できる。また、底部３ｃを通った余分な水は、容器２の底部から外側に流れ出て、受け皿６で受け、ここら蒸発させることができる。
【００１９】
（第２の実施の形態）
図３および図４は、本発明に係る植栽装置の第２の実施の形態を示すもので、図１は植栽装置の斜視図、図２は同断面図である。
これらの図に示す植栽装置１１は、容器１２と不織布バッグ１３と培土１４と蓋１５を備えている。
容器１２は、直方体箱状に形成されたものであり、その上部は開口している。
不織布バッグ１３は、前記不織布バッグ３と同様に、不織布で形成された袋状のものであり、上部１３ａ、中央部１３ｂ、底部１３ｃとによって構成されており、上部１３ａと中央部１３ｂ、中央部１３ｂと底部１３ｃはそれぞれ性質は異なるが連続的な布状に形成されている。
上部１３ａと底部１３ｃは透水性を有している。すなわち、上部１３ａと底部１３ｃはそれぞれ透水機能を持ち、かつ植物の根が侵入できないような細かな隙間を有するシートで構成されている。また、不織布バッグ１３の上部１３ａには、植物の種を植えるための孔１３ｄ・・・が形成されている。
【００２０】
また、不織布バッグ１３の中央部１３ｂは、保湿機能を持つシートで構成されている。このシートとしては、例えば吸水性アクリル繊維を素材としている。吸水性アクリル繊維は、例えば、吸水アクリル約３２重量％、ポリエステル約４５重量％、レーヨン約２３重量％を含んでいる。
上記のような構成の不織布バッグ１３は全体として柔軟性を有しており、その内部に植物を栽培するための培土１４が充填されている。
【００２１】
前記蓋１５は、受け皿として併用できるものであり、図４（ａ）に示すように、周囲には、断面略コ字状の耳部１６が形成されている。そして、この耳部１６が容器１２の上部側壁に係合することによって、容器１２の上部開口に蓋１５が取り付けられている。
蓋１５は、図４（ｂ）に示すように、それを取り外して、耳部１６の一片部１６ａを外側に向けて曲げ伸ばすことによって、側壁１５ａが形成される。そして、この蓋１５を上下逆にすることによって、側壁１５ａを有する受け皿１５が形成される。この受け皿１５に容器１２が載置される。
【００２２】
上記のように構成された植栽装置１１によれば、前記植栽装置１と同様に、培土１４が不織布バッグ１３に充填されているので、容器１２に直接培土を充填する場合に比して、培土１４に含まれている水分の蒸発を防止できる。
さらに、不織布バッグ１３は中央部１３ｂが保湿性を有しているので、散水を行うと、培土１４に水分が補給されるとともに、容器１４の内面と不織布バッグ１３の表面との間を流れる水分が、不織布バッグ１３の中央部１３ｂに吸水され、保湿される。したがって、この不織布バッグ１３の中央部１３ｂから水分が培土に供給される。よって、散水回数を減らしても培土１４の乾燥を防止できるので、野菜・花卉類等の植物を容易に栽培できる。
また、不織布バッグ１３の上部１３ａが透水性を有しているので、不織布バッグ１３の上部１３ａに散水された水はこの上部を通って、十分に培土１４に補給できる。
さらに、不織布バッグ１３の底部１３ｃが透水性を有しているので、余分な水分が不織布バッグ１３の底部１３ｃに滞留することがなく、よって根腐れ等を防止できる。
【００２３】
さらに、容器１２の上部の開口部に蓋１５が取り付けられているので、容器１２内に、植物の種を収容した袋１７を入れておき、蓋１５を取り付けた状態で、搬送、販売等が行える。そして、植物を栽培する場合、蓋１５を外して、袋１７から種を取り出して、培土１４に不織布部１３の上部１３ａに形成された孔１３ｄから蒔けばよい。その場合、蓋１５が容器１２の底部を受ける受け皿１５となるので、プランターとして見映えがよくなる。
【００２４】
（第３の実施の形態）
図５および図６は、本発明に係る植栽装置の第３の実施の形態を示すもので、図１は植栽装置の断面図、図２は同斜視図である。
これらの図に示す植栽装置２１は、容器２２と不織布バッグ２３と培土２４と受け皿２５を備えている。
容器２２は、パイプモールドによって略球形状に形成されたものであり、その上部は開口している。また、容器２２の底部には開口部２２ｂが形成されている。
不織布バッグ２３は、前記不織布バッグ３と同様に、不織布で形成された袋状のものであり、上部２３ａ、中央部２３ｂ、底部２３ｃとによって構成されており、上部２３ａと中央部２３ｂ、中央部２３ｂと底部２３ｃはそれぞれ性質は異なるが連続的な布状に形成されている。
上部２３ａと底部２３ｃは透水性を有している。すなわち、上部２３ａと底部２３ｃはそれぞれ透水機能を持ち、かつ植物の根が侵入できないような細かな隙間を有するシートで構成されている。
また、前記容器２２の底部の開口部２２ｂに露出する不織布バッグ２３の底部は開閉可能である。すなわち、不織布バッグ２３の底部には予め穴が形成されており、この穴は紐で結んで閉じられている。したがって、底部を開く場合、紐を解いて、穴を開ければよく、また、再び閉じる場合は、紐を結んで穴を閉じればよい。
【００２５】
また、不織布バッグ２３の中央部２３ｂは、保湿機能を持つシートで構成されている。このシートとしては、例えば吸水性アクリル繊維を素材としている。吸水性アクリル繊維は、例えば、吸水アクリル約３２重量％、ポリエステル約４５重量％、レーヨン約２３重量％を含んでいる。
上記のような構成の不織布バッグ２３は全体として柔軟性を有しており、その内部に植物を栽培するための培土２４が充填されている。
【００２６】
受け皿２５は、容器２２と同様にパルプモールドによって形成されており、平面視において円形皿状に形成されている。受け皿２５の直径は、容器２２の直径より大きくなっている。したがって、受け皿２５には、容器２２がその周囲にある程度の隙間を持って載置可能となっている。
【００２７】
上記のように構成された植栽装置２１によれば、前記植栽装置１と同様に、培土２４が不織布バッグ２３に充填されているので、容器２２に直接培土を充填する場合に比して、培土２４に含まれている水分の蒸発を防止できる。
さらに、不織布バッグ２３は中央部２３ｂが保湿性を有しているので、散水を行うと、培土２４に水分が補給されるとともに、容器２４の内面と不織布バッグ２３の表面との間を流れる水分が、不織布バッグ２３の中央部２３ｂに吸水され、保湿される。したがって、この不織布バッグ２３の中央部２３ｂから水分が培土に供給される。よって、散水回数を減らしても培土２４の乾燥を防止できるので、野菜・花卉類等の植物を容易に栽培できる。
また、不織布バッグ２３の上部２３ａが透水性を有しているので、不織布バッグ２３の上部２３ａに散水された水はこの上部を通って、十分に培土２４に補給できる。
さらに、不織布バッグ２３の底部２３ｃが透水性を有しているので、余分な水分が不織布バッグ２３の底部２３ｃに滞留することがなく、よって根腐れ等を防止できる。
【００２８】
さらに、容器２２の底部に形成された開口部２２ｂに露出する不織布バッグ２３の底部２３ｃが開閉可能であるので、例えば、培土で根菜類を栽培した場合、収穫時に不織布バッグ２３の底部２３ｃを開けて、容器底部の開口部２３ｂから培土２４を掘って、根菜を収穫することができる。また、容器２２の上部の開口部から伸びている茎や花等は、収穫後もある程度観賞することができる。
【図面の簡単な説明】
【００２９】
【図１】本発明に係る植栽装置の第１の実施の形態を示すもので、植栽装置の断面図である。
【図２】同、植栽装置の斜視図である。
【図３】本発明に係る植栽装置の第２の実施の形態を示すもので、植栽装置の斜視図である。
【図４】同、植栽装置の断面図である。
【図５】本発明に係る植栽装置の第３の実施の形態を示すもので、植栽装置の断面図である。
【図６】同、植栽装置の斜視図である。
【符号の説明】
【００３０】
１，１１，２１  植栽装置
２，１２，２２  容器
３，１３，２３  不織布
３ａ，１３ａ，２３ａ  上部
３ｂ，１３ｂ，２３ｂ  中央部
３ｃ，１３ｃ，２３ｃ  底部
４，１４，２４  培土
１５  蓋（受け皿）
２３ｂ  開口部
【図１】
2006121916.tif 000003
【図２】
2006121916.tif 000004
【図３】
2006121916.tif 000005
【図４】
2006121916.tif 000006
【図５】
2006121916.tif 000007
【図６】
2006121916.tif 000008